(57)【要約】【課題】書籍・雑誌にサンプルを添付する場合に、折り曲げ易くできるスリット付きサンプルホルダーを提供する。【解決手段】本発明のスリット付きサンプルホルダー１は、書籍・雑誌に現物サンプルを添付するためのサンプルホルダーであって、厚板部材１０を打ち抜き加工して開口６を設け、当該開口内にサンプル８を収納できるようにするとともに、当該厚板部材を書籍・雑誌の本体部分７と一体にして製本した際に誌面と共に折り曲げ易くするために、当該厚板部材に表面側から打ち抜いた複数本のスリットＳ１，Ｓ２，・入れたことを特徴とする。サンプルホルダーを表裏に折り曲げできるようにするため、厚板部材に表面側から打ち抜いたスリットと裏面側から打ち抜いたスリットをそれぞれ複数本設ける形態とすることもできる。【選択図】　　図１
2004017336.tif 000002
【特許請求の範囲】
【請求項１】
書籍・雑誌に現物サンプルを添付するためのサンプルホルダーであって、厚板部材を打ち抜き加工して開口を設け、当該開口内にサンプルを収納できるようにするとともに、当該厚板部材を書籍・雑誌の本体部分と一体にして製本した際に誌面と共に折り曲げ易くするために、当該厚板部材に表面側から打ち抜いた複数本のスリットを設けたことを特徴とするスリット付きサンプルホルダー。
【請求項２】
書籍・雑誌に現物サンプルを添付するためのサンプルホルダーであって、厚板部材を打ち抜き加工して開口を設け、当該開口内にサンプルを収納できるようにするとともに、当該厚板部材を書籍・雑誌の本体部分と一体にして製本した際に誌面と共に折り曲げ易くするために、当該厚板部材に表面側から打ち抜いたスリットと裏面側から打ち抜いたスリットをそれぞれ複数本設けたことを特徴とするスリット付きサンプルホルダー。
【請求項３】
厚板部材がダンボール合紙、厚板紙、スチレンボード、硬質ウレタンフォーム、その他の発泡樹脂板、パーチクルボード、のいずれかであることを特徴とする請求項１または請求項２記載のスリット付きサンプルホルダー。
【請求項４】
厚板部材に表面用紙または裏面用紙あるいはその双方が接着されていることを特徴とする請求項１または請求項２記載のスリット付きサンプルホルダー。
【請求項５】
スリットが書籍・雑誌の小口または背部に略平行な直線状スリットであって、１０〜５０ｍｍの間隔で打ち抜かれていることを特徴とする請求項１または請求項２記載のスリット付きサンプルホルダー。
【請求項６】
スリットが厚板部材の底面部または裏面用紙を貫通していないことを特徴とする請求項１記載のスリット付きサンプルホルダー。
【請求項７】
表面側から打ち抜いたスリットと裏面側から打ち抜いたスリットが交互に設けられていることを特徴とする請求項２記載のスリット付きサンプルホルダー。
【請求項８】
表面側から打ち抜いたスリットが厚板部材の底面部または裏面用紙を貫通せず、裏面側から打ち抜いたスリットが厚板部材の表面部または表面用紙を貫通していないことを特徴とする請求項２または請求項７記載のスリット付きサンプルホルダー。
【請求項９】
開口内にサンプルが収納されており、開口の表面が透明な樹脂フィルムで封鎖されていることを特徴とする請求項１または請求項２記載のスリット付きサンプルホルダー。
【請求項１０】
サンプルホルダーのいずれかの面、または双方の面に印刷が施されていることを特徴とする請求項１ないし請求項９記載のスリット付きサンプルホルダー。
【請求項１１】
製本加工する前の請求項１ないし請求項１０記載のスリット付きサンプルホルダーであって、製本後に天地となる部分の延長部に、スリットの入らない０．５ｍｍ〜２ｍｍ幅のつなぎ部を残していることを特徴とするスリット付きサンプルホルダー。
【発明の詳細な説明】
【０００１】
【発明の属する技術分野】
この発明はスリット付きサンプルホルダーに関する。
詳しくは、厚板部材に打ち抜き加工を施し、当該打ち抜きした開口部に現物サンプルを収納し保持するようにしたサンプルホルダーであって、書籍・雑誌に一体にして製本した際に折り曲げ易く、かつ読みやすくするために、厚板部材にスリットを入れたスリット付きサンプルホルダーに関する。
従って、本発明の利用分野は書籍や雑誌の加工や販売の分野である。
【０００２】
【従来技術】
書籍、雑誌に現物サンプルや見本、試供品を添付して販売することの規制が緩和されたことからサンプル付き書籍・雑誌が広く行われるようになっている。
この現物サンプル等はある程度の厚みがあるため、サンプルの保護及び出来本輸送時の安定化のためサンプル等の厚みと同等以上の厚みを有する専用サンプルホルダーが必要になる。
このホルダーの材質は、ダンボール合紙や厚板紙、スチレンボード等が一般的であり、これらを単独でまたは何枚か重ねて接着して厚みを出し、さらに打ち抜き加工して開口を設け、当該開口内にサンプル等を収納して、本体である書籍・雑誌と一体に製本して流通過程にのせることが行われている。
しかし、ダンボール合紙も厚板紙も、それ自体が剛い材料であるため、本誌と一緒に製本した場合は、当該サンプルホルダーが板状となって屈曲せず、店頭で立ち読みする場合も、購入して家で読む場合も本を開き難く不評判であった。
【０００３】
【発明が解決しようとする課題】
そこで、本発明では、厚板紙やダンボール合紙、あるいはスチレンボードをサンプルホルダーに使用する場合であっても、書籍・雑誌を折り曲げし易くすることを研究して本発明の完成に至ったものである。
【０００４】
【課題を解決するための手段】
上記課題を解決するための本発明の要旨の第１は、書籍・雑誌に現物サンプルを添付するためのサンプルホルダーであって、厚板部材を打ち抜き加工して開口を設け、当該開口内にサンプルを収納できるようにするとともに、当該厚板部材を書籍・雑誌の本体部分と一体にして製本した際に誌面と共に折り曲げ易くするために、当該厚板部材に表面側から打ち抜いた複数本のスリットを設けたことを特徴とするスリット付きサンプルホルダー、にある。かかるスリット付きサンプルホルダーであるので、書籍・雑誌が折り曲げし易く、かつ読み易い。
【０００５】
上記課題を解決するための本発明の要旨の第２は、書籍・雑誌に現物サンプルを添付するためのサンプルホルダーであって、厚板部材を打ち抜き加工して開口を設け、当該開口内にサンプルを収納できるようにするとともに、当該厚板部材を書籍・雑誌の本体部分と一体にして製本した際に誌面と共に折り曲げ易くするために、当該厚板部材に表面側から打ち抜いたスリットと裏面側から打ち抜いたスリットをそれぞれ複数本設けたことを特徴とするスリット付きサンプルホルダー、にある。
【０００６】
上記において、厚板部材がダンボール合紙、厚板紙、スチレンボード、硬質ウレタンフォーム、その他の発泡樹脂板、パーチクルボードのいずれかである、ようにすることができる。これらが材料として利用し易いからである。
また、厚板部材に表面用紙または裏面用紙あるいはその双方が接着されていれば、印刷したり厚板部材を補強することができる。さらに、スリットが書籍・雑誌の小口または背部に略平行な直線状スリットとし、１０〜５０ｍｍの間隔で打ち抜かれている、ようにすることもできる。小口または背部に平行にページを開くのが通常だからである。
【０００７】
請求項１記載の発明では、スリットが厚板部材の底面部または裏面用紙を完全に貫通しないようにし、請求項２記載の発明では、表面側から打ち抜いたスリットと裏面側から打ち抜いたスリットを交互に設けることができ、表面側からのスリットが厚板部材の底面部または裏面用紙を完全に貫通しないようにし、裏面側からのスリットが厚板部材の表面部または表面用紙を完全に貫通しないようにし、スリットにより厚板部材がばらばらにならないようにする必要がある。
また、開口内にサンプルが収納された状態で、開口の表面が透明な樹脂フィルムで封鎖されていれば、サンプルを外から見ることができ、サンプルホルダーのいずれかの面、または双方の面に印刷が施されていれば、サンプルの価値を高めたり必要な説明を表示することができる。
【０００８】
上記課題を解決するための本発明の要旨の第３は、製本加工する前のスリット付きサンプルホルダーであって、製本後に天地となる部分の延長部に、スリットの入らない０．５ｍｍ〜２ｍｍ幅のつなぎ部を残していることを特徴とするスリット付きサンプルホルダー、にある。かかるスリット付きサンプルホルダーであれば、その後の加工が容易になる。
【０００９】
【発明の実施の形態】
以下、図面等を参照して、本発明のサンプルホルダーについて説明する。
図１は、本発明のスリット付きサンプルホルダーの付いた本の斜視図、図２は、サンプルホルダー付き本を地側から見た断面図、図３は、他の実施形態のサンプルホルダーと当該サンプルホルホルダー付き本を地側から見た断面図、図５は、従来のサンプルホルダー付き本を地側から見た断面図である。
【００１０】
スリット付きサンプルホルダーを書籍・雑誌に取り付けた状態は、図１のようになる。図１（Ａ）は全体図、図１（Ｂ）はサンプルホルダー１の部分拡大断面図である。スリット付きサンプルホルダー１はサンプルを収容できる程度の厚みの厚板部材からなり、開口６が設けられ、開口内にはサンプル（収納物）８が収納されている。開口６は密封されていても良く透明窓になっていても良い。開口６の周囲に切り取り線６ｃを設けることもしばしば行われる。
【００１１】
従来のサンプルホルダーと異なる特徴は、サンプルホルダーを折り曲げ易くするために、背部５または小口９に略平行な複数のスリットＳ１，Ｓ２，，・・が設けられていることにある。図１では７本のスリットが設けられている。
スリットは直線であることには限らず直線状に延びる波線や幾何学的線であっても良いが、直線であれば加工が容易である。略平行というのは完全に平行でなくても良い趣旨であるが、背部５に対して４５°以上にも傾斜した線であれば曲げ易さは損なわれることになる。
【００１２】
図１（Ｂ）のように、スリットＳは厚板部材１０を完全には貫通しないようにされていて、表面用紙１０ａと厚板部材の大部分を切断するが、部材の底面部または裏面用紙１０ｂが有る場合は当該裏面用紙を残すように打ち抜きする。完全に貫通すれば製本した際にばらばらになってしまうからである。
表裏面用紙１０ａ，１０ｂが有れば印刷を施すことができ、裏面用紙１０ｂにより部材の裏面強度も確保できるが厚板部材だけであってもよい。図１（Ｂ）の場合、厚板部材を芯材１０ｃと考えても良い。
開口６部分の表裏面側にはスリットを入れないようにされている。取り出し前のサンプルを保護するためである。
【００１３】
従来のサンプルホルダー付き本２ｊは、図６のように厚板部材からなるサンプルホルダー１ｊを書籍・雑誌に取り付けたものであって、本の背が割れることを防止してのど元に１け所、スリットＳ１を入れるだけであった。
しかし、このようなサンプルホルダー付き本２ｊは、前記のように折り曲げ難い問題があった。
【００１４】
本発明のスリット付きサンプルホルダー１を取り付けた本２は、図２のように厚板部材１０に複数本のスリットＳ１，Ｓ２，・が入っているので、書籍・雑誌の本体部分７と共に折り曲げ易くなっている。
このようなサンプルホルダー１は、書籍・雑誌の表紙３側に入れる場合と裏表紙４側に入れる場合があるが、請求項１記載のサンプルホルダーでは、スリットＳはいずれか誌面を曲げる方向に向かって打ち抜く必要がある。
すなわち、サンプルホルダー１が表紙３側にある場合は表紙側に向かってスリットを打ち抜き、裏表紙４側にある場合は裏表紙側に向かってスリットを打ち抜く必要がある。
スリットの間隔は、１０〜５０ｍｍ程度が適当と考えられる。５０ｍｍを超えては板状部分が広く残り曲げ難いし、１０ｍｍ未満では印刷絵柄が損なわれるからである。ただし、スリットは等間隔であることには限られない。
【００１５】
サンプルホルダー１付き本は、通常の書籍または雑誌の形態になっていて、背部５は無線綴じ等がされていて、サンプルホルダーだけ、または誌面も一冊の雑誌として取り外しできるようにされている場合もある。
開口６の打ち抜き形状は、図１のように長方形状に限らず円形や楕円状であっても良く、サンプルの形状その他の任意の形状であって良い。
打ち抜く深さは収納する現物サンプルの厚みにより調整するが、通常、２〜３ｍｍ程度以上であり、２０ｍｍ程度の深さまでは１回のプレス打ち抜きで打ち抜くことができる。
【００１６】
厚板部材がダンボール合紙からなる場合は、芯材であるダンボールを所定の厚みになるように貼り合わせ、開口６を打ち抜いてから表裏の用紙を貼り合わせることになる。表裏面用紙は白紙である必要はなく、全面または部分的に適宜な印刷がされていることが好ましい。表裏面用紙にサンプルについての説明や使用方法を印刷することも自由である。
表面用紙１０ａと裏面用紙１０ｂの双方、または表面用紙と裏面用紙のいずれか一方をくり抜いて窓を形成しても良い。その場合は、透明窓にして内部のサンプル等を外から見えるようにすることもできる。
【００１７】
サンプルホルダー１を一体に製本した状態で本を見開くと図１のようになる。サンプルホルダーにスリットＳが入っているので、裏表紙４側に自由に折り曲げられる状態になっている。書籍・雑誌の本体部分７とサンプルホルダー１とは異なるサイズであっても良く、サンプルホルダー１が薄層の場合は書籍の紙葉内に挿入し貼着して使用する場合もある。
ここにサンプルとは、見本や試供品、おまけ、現物等であり、磁気テープやＣＤＲＯＭ、人形やおもちゃ、道具類、下着や装飾品、化粧品等が入れられる場合もある。
【００１８】
請求項２記載のサンプルホルダーのスリットは、図３のように表裏両面から打ち抜いて入れるようになる。図３（Ａ）は、表面側からのスリットＳｈを５本と裏面側からのスリットＳｕ６本とを交互に打ち抜いた例を示す。表面側からのスリットＳｈ１，Ｓｈ２，・は裏面用紙を打ち抜かないように、裏面側からのスリットＳｕ１，Ｓｕ２，・は表面用紙を打ち抜かないようにされている。
この場合、サンプルホルダーは、表裏両面に折り曲げできるので、図３（Ｂ）のように製本しても良いし、図３（Ｃ）のように製本することもできる。
【００１９】
厚板部材は本来的には軽くて硬くて剛性のある材料が好ましい。例として、ダンボール合紙、厚板紙、スチレンボード、硬質ウレタンフォーム、その他の発泡樹脂板、パーチクルボードを挙げることができる。石膏ボードであっても良く、乾燥植物やパルプを圧縮してボード化したもの等であっても使用できる。
これらの厚板部材に表面用紙や裏面用紙を貼り合わせた材料が好ましく、裏面用紙だけを残してスリットを打ち抜くこともできる。表裏面用紙とは厚板部材を補強できれば良く紙に限らず、プラスチックフィルムを含むものである。
表裏面用紙を設ける場合は、印刷による絵柄を設けることができる。
【００２０】
図４は、サンプルホルダー付き本の製造工程を示すフローチャート、図５は製本加工前の多面付けのスリット付きサンプルホルダーを示す図である。いずれも厚板部材としてダンボール合紙を使用する例を示している。
図４、図５を参照してサンプルホルダー付き本の製造について説明する。
まず、第１工程（Ｓ１）では、ダンボール合紙の厚みを出すために必要な枚数のダンボールを重ねて接着剤で貼り合わせて芯材を作製する。
第２工程（Ｓ２）では、ダンボール芯材に対し開口６の打ち抜きを行う。
打ち抜きは、パワープレス等により行う。
【００２１】
第３工程（Ｓ３）では、サンプルホルダーの裏面用紙に所定の印刷を行う。印刷は活版輪転かオフセット輪転、グラビア印刷で行うことができる。
第４工程（Ｓ４）では、開口６を設けたダンボール芯材と印刷済みの裏面用紙を重ねて同様に接着剤で貼り合わせする。この場合の接着剤は開口６部を塗布しないようにエマルジョン糊等をパターン状に塗工する。
第５工程（Ｓ５）では、打ち抜いた開口６内にサンプルを充填する。
第６工程（Ｓ６）では、サンプルホルダーの表面用紙に所定の印刷を行う。印刷は裏面用紙と同様に行う。
【００２２】
第７工程（Ｓ７）では、表面用紙に開口６を覆う透明窓等を設ける場合の加工を行う。透明窓等を設けない場合は、この工程を行う必要はなく、印刷した状態のままの表面用紙を芯材と貼り合わせる。
第８工程（Ｓ８）では、開口６を設けたダンボール芯材１０ｃに同様に接着剤をパターン状に塗工し、印刷済みの表用紙１０ａを重ねて貼り合わせする。
ここまでの工程は、８丁付け程度の大判で行う。
【００２３】
次に、第９工程（Ｓ９）では、小口方向のスリットＳ１，Ｓ２，・を必要本数打ち抜くと共に、サンプルホルダーを１枚毎の所定サイズに切断する。図５の場合は、１枚のホルダーに９本のスリットが入れられている。
このサイズは仕上げ裁ちよりは大きいサイズであるので、その後の取り扱いを容易にするため、図５のように、スリットＳ１〜Ｓ９同士が横切断線１１ｙ部分で接続しないように、０．５〜２ｍｍ幅程度のつなぎ部１１ｃを残すようにする。つなぎ部を大きくする場合は仕上げ裁ちを大きくしなければならない。
このようにすることで、最終の三方断裁までは、サンプルホルダーを板状に近い状態で取り扱うことができ作業時のハンドリングを容易にする。
また、スリットＳ１〜Ｓ９は裏側の印刷用紙までを貫通して打ち抜かないようにする。貫通して打ち抜けば、ばらばらな状態になるので、いわゆる半抜き状態に打ち抜くためである。開口６の周囲に切り取り線６ｃ（図１）等を設ける場合もこの工程と同時に行う。
なお、図５は便宜上４面付け状態で図示しているが、実際は８面付き程度である。
【００２４】
次に、第１０工程（Ｓ１０）では、スリット付きサンプルホルダーと書籍・雑誌の本体部分と一緒に製本する。製本は無線綴じやあじろ綴じにより行う。
最後の第１１工程（Ｓ１１）では、製本した書籍・雑誌の三方を裁断して仕上げを行う。この三方裁ちの際、前記のつなぎ部１１ｃが切断除去されるのでスリット付きサンプルホルダーは開口６部以外は自由に曲げることができるようになる。もちろん開口６の表裏面用紙１０ａ，１０ｂを除去してサンプルを取り出してた後は全体が屈曲自在になる。
【００２５】
以上の実施例はダンボール合紙の例を説明したが、その他の材料であっても良く、その場合は異なる工程を採用し得る。
サンプルの封入は、上記のように表裏面用紙を貼り合わせする前に行うのが、工程の簡略につながるが、貼り合わせ後に開口を打ち抜きし、サンプルを封入するものであっても勿論構わない。また、本誌製本前が一般的であるが、製本後にサンプルを封入しても良い。
【００２６】
【実施例】
（実施例）
以下、本発明の実施例を図１、図５を参照して説明する。
ダンボール４層を貼り合わせた材料を芯材１０ｃとした。この芯材１０ｃに長楕円形状の開口６をパワープレスで８個打ち抜きした（８面付けのため）。
一方、表面用紙１０ａとしてコートボール紙（３１０ｇ／ｍ２　）を使用し、裏面用紙１０ｂとしてコート紙（１３５ｇ／四六判）を使用し、オフセット印刷で絵柄を印刷しておいた。
【００２７】
この芯材１０ｃの裏面にエマルジョン糊をパターン状に塗布してから裏面用紙１０ｂを貼り合わせした。次いで、芯材１０ｃの表面側にエマルジョン糊を同様にパターン塗布してから、サンプルを各開口６内にセットして固定し、その後に表面用紙１０ｂを貼り合わせした。
本はＡ４サイズ（２９７ｍｍ×２１０ｍｍ）に仕上げるものであって、８面付けの全体サイズは６４０ｍｍ×９４０ｍｍ（Ｋ判）、厚み約３ｍｍとなった。
【００２８】
この厚板部材１０に対して、直線状のスリットを裏面用紙を切断しないようにして打ち抜きを行うと共に、仕上げ前の個々のＡ４サイズに裁断する打ち抜きを行った。スリット線は、２０ｍｍの等間隔となるようにしたところ、Ａ４サイズで１枚のサンプルホルダーには１１本のスリットが入った。
スリットは横切断線１１ｙに接触しないように、各サンプルホルダーのスリット端部に幅１ｍｍのつなぎ部１１ｃが残るようにした。
また、スリットは開口部６に入らないようにし、かつ、開口部の表面用紙を切り取りできるように、開口の周囲に切り取り線６ｃ（図１）も同時に入れた。
【００２９】
別に、ザラ紙５１ｇ／ｍ２　に活版輪転で印刷し、Ａ４版１２８ページの雑誌本文を別途印刷し仮製本しておいた。また、表紙３、裏表紙４には、トップコート紙１２８ｇ／ｍ２　を使ってオフセット輪転印刷を行った。
このサンプルホルダーと雑誌本文を重ね合わせて丁合し、両者の背部を無線綴じし、先に印刷して準備した表紙および裏表紙を貼り合わせた後、三方を断裁してサンプルホルダー付き本２を完成した。
この仕上げ裁ちにより、サンプルホルダーのつなぎ部１１ｃはカットされて除去されるようにした。
【００３０】
以上、具体的実施例を図面等を参照して説明したが、本発明のサンプルホルダーは図示される実施形態に限定されるものではなく、サンプルホルダーと書籍・雑誌の本文とが異なるサイズの場合にも適用でき、サンプルホルダーを雑誌等の内部に挿入したり貼着して製本する形態であっても良いのは当業者には自明のことである。
さらに、本発明はサンプルという用語を用いているが、「見本」や「試供品」等、あるいは「おまけ付き」等の単に用語を置き換えた実施品が本発明に該当することは勿論のことである。
【００３１】
【発明の効果】
以上詳しく説明したように本発明によれば以下の効果が得られる。
サンプルホルダーにスリットが入っているのでホルダーを本文と共に自由に折り曲げでき、読者にとって読み易い書籍・雑誌となる。
完全に柔軟な厚板部材ではサンプルを保護できないが、開口部にスリットを入れないこと等により、部材の本来的な剛性も保持しているので、サンプルの保護機能を失うようなこともない。
【図面の簡単な説明】
【図１】本発明のスリット付きサンプルホルダーの斜視図である。
【図２】サンプルホルダー付き本を地側から見た断面図である。
【図３】他の実施形態のサンプルホルダーと当該サンプルホルダー付き本を地側から見た断面図である。
【図４】サンプルホルダー付き本の製造工程を示すフローチャートである。
【図５】製本加工前の多面付けスリット付きサンプルホルダーを示す図である。
【図６】従来のサンプルホルダー付き本を地側から見た断面図である。
【符号の説明】
１　　スリット付きサンプルホルダー
１ｊ　　従来のサンプルホルダー
２　　サンプルホルダー付き本
２ｊ　　従来のサンプルホルダー付き本
３　　表紙
４　　裏表紙
５　　背部
６　　開口
６ｃ　　切り取り線
７　　書籍・雑誌の本体部分
８　　サンプル（収納物）
９　　小口
１０　　厚板部材
１０ａ　　表面用紙
１０ｂ　　裏面用紙
１０ｃ　　芯材
１１ｔ，１１ｙ　　切断線
１１ｃ　　つなぎ部
Ｓ１，Ｓ２，・・　スリット
【図１】
2004017336.tif 000003
【図２】
2004017336.tif 000004
【図３】
2004017336.tif 000005
【図４】
2004017336.tif 000006
【図５】
2004017336.tif 000007
【図６】
2004017336.tif 000008